(57)【要約】【課題】リングにとりつけるアームの長さをより長くすることが可能な指輪を提供する。【解決手段】傾斜リング２がリング本体１に対して傾斜して取り付けられている。傾斜リング２は楕円であり、楕円の長軸をリング本体１のある平面に投影したものはリング本体１の直径よりも長い。よって、結婚指輪などが既にはめらているような指に、リング本体１をはめても、傾斜リング２は結婚指輪にぶつからない。したがって、傾斜リング２をリング本体１の上方のみならず下方にも延ばすことができるので、傾斜リング２を長くすることができ、美観が向上する。【選択図】　図１
2004000449.tif 000002
【特許請求の範囲】
【請求項１】
リング本体と、
当該リング本体に対して傾斜して、取り付けられている傾斜リングと、
を備え、
前記傾斜リングは、
最小の内半径が前記リング本体の外半径以上であり、
最大の内半径を前記リング本体の位置する平面に投影したものが前記リング本体の外半径以上である、
指輪。
【請求項２】
請求項１に記載の指輪であって、
前記傾斜リングは前記リング本体の上方および下方に配置されている、
指輪。
【請求項３】
請求項１に記載の指輪であって、
前記傾斜リングは楕円である、
指輪。
【請求項４】
請求項１に記載の指輪であって、
前記傾斜リングが前記最小の内半径をとる部分が、前記リング本体の外周面に接している、
指輪。
【請求項５】
請求項１に記載の指輪であって、
前記傾斜リングが前記最小の内半径をとる部分と、前記リング本体の外周との間に配置されたスペーサを備えた指輪。
【請求項６】
請求項１に記載の指輪であって、
前記リング本体あるいは前記傾斜リングに切り目が設けられている指輪。
【請求項７】
請求項１に記載の指輪であって、
前記リング本体の端部あるいは前記傾斜リングの端部に取り付けられ、前記リング本体の上方または下方に配置されているアームを備えた指輪。
【請求項８】
請求項１に記載の指輪であって、
前記リング本体または前記傾斜リングに取り付けられた装飾部材を備えた指輪。
【請求項９】
請求項７に記載の指輪であって、
前記アームに取り付けられた装飾部材を備えた指輪。
【発明の詳細な説明】
【０００１】
【発明の属する技術分野】
本発明は指輪に関する。
【０００２】
【従来の技術】
従来より、立体的な指輪は、本願の発明者が発明あるいは考案した特許文献１、特許文献２に記載がある。特許文献１および特許文献２に開示された指輪は、リングの上面に、リングに対して傾斜したアームを取り付けたものである。
【０００３】
【特許文献１】
特開２００１−７００１６号公報
【特許文献２】
登録実用新案第３０４９０２９号公報
【発明が解決しようとする課題】
しかしながら、上記のような立体的な指輪は、アームがリングの上方に位置しなければならないので、アームの長さに限りがある。一般的には、アームの長さが大きい程、指輪をはめた指が長く見えて、美観上好ましい。よって、上記のような立体的な指輪は、指輪をはめた指の美観を充分にはひきたてにくい。
【０００４】
そこで、本発明は、リングにとりつけるアームの長さをより長くすることが可能な指輪を提供することを課題とする。
【０００５】
【課題を解決するための手段】
請求項１に記載の発明は、リング本体と、リング本体に対して傾斜して、取り付けられている傾斜リングとを備え、傾斜リングは、最小の内半径がリング本体の外半径以上であり、最大の内半径をリング本体の位置する平面に投影したものがリング本体の外半径以上であるように構成される。
【０００６】
単純に、従来技術で述べたようなアームをリング本体の上下に取り付けたと仮定する。この場合、さらに別の指輪（例えば、結婚指輪）が指にすでにはめられていれば、リング本体の下に取り付けられたアームが別の指輪にぶつかりあってしまう。よって、従来技術で述べたようなアームをリング本体の上下に取り付けるわけにはいかない。
【０００７】
しかし、上記のように構成された指輪によれば、傾斜リングをリング本体の位置する平面に投影したものは、リング本体を包み込むことになる。よって、リング本体と同程度の径を有する別の指輪がすでにはめられていたとしても、傾斜リングが別の指輪にぶつからない。よって、上記のように構成された指輪によれば、傾斜リングはリング本体の上方および下方に延びていてもかまわないので、傾斜リングの長さを長くすることが可能である。
【０００８】
請求項２に記載の発明は、請求項１に記載の発明であって、傾斜リングはリング本体の上方および下方に配置されているように構成される。
【０００９】
請求項３に記載の発明は、請求項１に記載の発明であって、傾斜リングは楕円であるように構成される。
【００１０】
請求項４に記載の発明は、請求項１に記載の発明であって、傾斜リングが最小の内半径をとる部分が、リング本体の外周面に接しているように構成される。
【００１１】
請求項５に記載の発明は、請求項１に記載の発明であって、傾斜リングが最小の内半径をとる部分と、リング本体の外周との間に配置されたスペーサを備えたように構成される。
【００１２】
上記のように構成された指輪によれば、傾斜リングの最小の内半径が、スペーサの分だけ、リング本体の外半径より大きくなる。よって、リング本体よりも大きな径を有する別の指輪がすでにはめられていたとしても、傾斜リングが別の指輪にぶつからない。
【００１３】
請求項６に記載の発明は、請求項１に記載の発明であって、リング本体あるいは傾斜リングに切り目が設けられているように構成される。
【００１４】
上記のように構成された指輪によれば、リング本体の内径が可変となる。よって、指輪をはめる指の太さにリング本体の内径を合わせることができる。
【００１５】
請求項７に記載の発明は、請求項１に記載の発明であって、リング本体の端部あるいは傾斜リングの端部に取り付けられ、リング本体の上方または下方に配置されているアームを備えたように構成される。
【００１６】
上記のように構成された指輪によれば、アームによりさらに美観に変化が生じる。
【００１７】
請求項８に記載の発明は、請求項１に記載の発明であって、リング本体または傾斜リングに取り付けられた装飾部材を備えたように構成される。
【００１８】
請求項９に記載の発明は、請求項７に記載の発明であって、アームに取り付けられた装飾部材を備えたように構成される。
【００１９】
上記のように構成された指輪によれば、装飾部材によりさらに美観に変化が生じる。
【００２０】
【発明の実施の形態】
以下、本発明の実施の形態を図面を参照して説明する。
【００２１】
第一の実施形態
図１は、本発明の第一の実施形態にかかる指輪の斜視図である。指輪は、リング本体１、傾斜リング２、アーム３、装飾部材４を備える。指輪は、指６にはめられている。なお、アーム３および装飾部材４は無くてもかまわない。
【００２２】
リング本体１は円形のリングである。リング本体１の素材は、貴金属あるいは貴金属以外の地金に金メッキまたは銀メッキを施したものである。リング本体１に用いる貴金属以外の地金は、例えば銅やニッケルである。ただし、地金は、金メッキまたは銀メッキに適した他の金属でもよい。なお、リング本体１は円形であればよく、上下方向に波打たせたような形状にしてもよい。また、リング本体１の断面は、丸型、楕円形、多角形などでもよい。
【００２３】
傾斜リング２は、リング本体１に対して傾斜して取り付けられている。傾斜リング２は、例えば楕円形である。
【００２４】
アーム３は、リング本体１の端面１ａに取り付けられ、上方に延びている。
【００２５】
装飾部材４は、リング本体１の外周１ｃに取り付けられている。装飾部材４は、例えば、宝石、貴金属、真珠に装飾を施したものである。なお、図１においては、アーム３が傾斜リング２に取り付けられている部分の近傍に、装飾部材４が取り付けられているが、他の部分に取り付けても良い。
【００２６】
図２は、本発明の第一の実施形態にかかる指輪の平面図（図２（ａ））、正面図（図２（ｂ））である。なお、アーム３および装飾部材４は図示省略している。
【００２７】
傾斜リング２の内周２ｄは、長軸の直径が２Ｄｍａｘ（図２（ｂ）参照）、短軸の直径が２Ｄｍｉｎ（図２（ａ）参照）の楕円である。よって、傾斜リング２自体も楕円である。ただし、Ｄｍａｘは長軸の半径、Ｄｍｉｎは短軸の半径である。傾斜リング２は、リング本体１に対して、角度θだけ傾斜している（図２（ｂ）参照）。傾斜リング２は、リング本体１の上方および下方に延びている（図２（ｂ）参照）。Ｄｍａｘ・ｃｏｓθは、長軸の半径をリング本体１の位置する平面に投影したものとなる。ここで、Ｄｍａｘ・ｃｏｓθはリング本体１の外径ｄ以上である。また、Ｄｍｉｎ＝ｄとする。よって、傾斜リング２の内周２ｄにおいて短軸に対応する部分は、リング本体１の外周１ｃに接している（図２（ａ）参照）。傾斜リング２とリング本体１とが接している接合部分１０は、例えばローを使用して、傾斜リング２をリング本体１に固定する。なお、Ｄｍａｘ・ｃｏｓθは、指６に傾斜リング２が引っ掛らずに、指輪を滑らかに挿入できる程度に大きいことが好ましい。しかし、Ｄｍａｘ・ｃｏｓθは、指６と傾斜リング２との間の隙間をなるべく小さくできるように、小さくすることもまた好ましい。さらに、傾斜リング２の厚みｈは、一定であることが一般的である。
【００２８】
図３は、本発明の第一の実施形態にかかる指輪の正面図である。なお、傾斜リング２および装飾部材４は図示省略している。図３（ａ）を参照して、アーム３は、リング本体１の上方の端面１ａに取り付けられ、上方に延びている。なお、図３（ｂ）を参照して、指輪の上下を逆転すれば、アーム３は下方に延びていることになる。ただし、アーム３は、傾斜リング２の上方または下方に延びるのであり、上方および下方に延びているのではない。
【００２９】
次に、第一の実施形態にかかる指輪をはめる際の動作を図４を参照して説明する。
【００３０】
図４（ａ）は、指６に別の指輪５をはめたときの断面図である。指６の付け根の位置は指６の左右で大きく異なる。すなわち、左の付け根６ａは、右の付け根６ｂよりも深い。別の指輪５は、右の付け根６ｂに引っ掛って、指６にはまっている。例えば、指６は薬指であり、別の指輪５は結婚指輪である。第一の実施形態にかかる指輪は、このような状態の指６にはめる際に好適なものである。なお、別の指輪５はリングであり、リング本体１とほぼ同じ直径を有するものである。
【００３１】
図４（ｂ）は、第一の実施形態にかかる指輪を指６にはめる途中の状態を示す断面図である。リング本体１を指６にはめ、指６の付け根６ａ、６ｂに下ろしていくと、傾斜リング２の左側の部分が、別の指輪５よりも低くなる。しかし、傾斜リング２は別の指輪５にぶつからない。このとき、第一の実施形態にかかる指輪を真上から見ると、図２（ａ）のように見える。別の指輪５は、リング本体１のちょうど真下にあり見えない。図２（ａ）を参照するとわかるように、傾斜リング２をリング本体１の位置する平面に投影したものは、リング本体１を包み込むことになる。よって、傾斜リング２は別の指輪５にぶつからない。
【００３２】
なお、図３（ｂ）に示すような指輪を指６にはめようとした場合は、アーム３が別の指輪５にぶつかってしまう。傾斜リング２の形状をすでに説明したようなものとしたため、傾斜リング２が別の指輪５にぶつからないということに留意されたい。
【００３３】
図４（ｃ）は、第一の実施形態にかかる指輪を指６にはめ終わった状態を示す断面図である。リング本体１の端面１ａと別の指輪５とが接している。また、傾斜リング２の左側の部分が、左の付け根６ａに接する。しかし、傾斜リング２の右側の部分は傾斜している分だけ高く、右の付け根６ｂに食い込むようなことはない。
【００３４】
第一の実施形態によれば、下記のような効果を奏する。
【００３５】
単純に、アーム３をリング本体１の上方および下方に取り付けたと仮定する。この場合、さらに別の指輪５が指６にすでにはめられていれば、リング本体２の下方に取り付けられたアーム３が別の指輪５にぶつかりあってしまう。よって、アーム３をリング本体１の上方および下方に取り付けるわけにはいかない。
【００３６】
しかし、第一の実施形態によれば、傾斜リング２をリング本体１の位置する平面に投影したものは、リング本体１を包み込むことになる。よって、リング本体１と同程度の径を有する別の指輪５がすでにはめられていたとしても、傾斜リング２が別の指輪５にぶつからない。よって、傾斜リング２はリング本体１の上方および下方に延びていてもかまわないので、傾斜リング２の長さを長くすることが可能である。これは美観上、有利である。
【００３７】
なお、第一の実施形態には様々な変形例が考えられる。
【００３８】
例えば、リング本体１の形状を変更することが考えられる。図５は、リング本体１の形状を変更した変形例を示す斜視図である。リング本体１には切り目１１が設けられている。これにより、リング本体１の内径が可変となる。よって、指輪をはめる指６の太さにリング本体の内径を合わせることができる。
【００３９】
また、傾斜リング２の形状を変更することが考えられる。第一の実施形態においては、傾斜リング２の形状を楕円として説明した。しかし、傾斜リング２の形状は、（１）最小の内半径がリング本体１の外半径ｄ以上であり、（２）最大の内半径をリング本体１の位置する平面に投影したものがリング本体１の外半径ｄ以上である、ことを満たしさえすればよく、必ずしも数学上定義された楕円である必要はない。例えば、傾斜リング２の形状を長円にしてもよく、一部に直線状の部分があってもよい。さらに、図６に示すような変形を行っても良い。
【００４０】
図６（ａ）は、リング本体１の形状を、楕円をねじったものとしたものを示す。図６（ｂ）は、リング本体１の形状は楕円であるが、傾斜リング２の厚みｈが変動しているものを示す。図６（ｂ）に示した例は、リング本体１よりも高くなっている傾斜リング２の部分の厚みが大きく、リング本体１よりも低くなっている傾斜リング２の部分の厚みが小さいものである。図６（ｂ）に示すような変形例によれば、指輪を上下逆転させて指６にはめた場合は、美観が変化して趣深い。図６（ｃ）は、傾斜リング２に切り目２１が設けられているものを示す。
【００４１】
なお、図５および図６を用いて説明した変形例においては、指輪を上下逆転させて指６にはめても、別の指輪５にぶつかることはない。
【００４２】
また、アーム３および装飾部材４の取り付け位置を変更することが考えられる。図７は、アーム３および装飾部材４の取り付け位置を変更した変形例の斜視図である。アーム３ａはリング本体１の端面に取り付けられている。アーム３ｂは傾斜リング２の端面に取り付けられている。アーム３ａおよびアーム３ｂは両者とも、リング本体１の上方にある。リング本体１の上方および下方にあると、傾斜リング２が別の指輪５にぶつかるからである。また、装飾部材４ａはアーム３ａの外周に、装飾部材４ｂは傾斜リング２の外周に、装飾部材４ｃはリング本体１の外周に取り付けられている。
【００４３】
第二の実施形態
第二の実施形態にかかる指輪は、第一の実施形態にかかる指輪にスペーサ７を付加したものである。
【００４４】
図８は、本発明の第二の実施形態にかかる指輪の斜視図である。指輪は、リング本体１、傾斜リング２、アーム３、装飾部材４、スペーサ７を備える。指輪は、指６にはめられている。なお、アーム３および装飾部材４は無くてもかまわず、図８においては図示省略する。なお、第一の実施形態と同様な部分は同一の番号を付して説明を省略する。
【００４５】
アーム３および装飾部材４は第一の実施形態と同様であり説明を省略する。
【００４６】
リング本体１および傾斜リング２はほぼ第一の実施形態と同様であるが、スペーサ７とあわせて図９を参照して説明する。
【００４７】
図９は、本発明の第二の実施形態にかかる指輪の平面図（図９（ａ））、側面図（図９（ｂ））である。なお、アーム３および装飾部材４は図示省略している。傾斜リング２とリング本体１とはスペーサ７を介して結合している。スペーサ７の存在のため、リング本体１の外径ｄよりも、傾斜リング２の内周の短軸の半径Ｄｍｉｎの方が大きい。
【００４８】
第二の実施形態にかかる指輪をはめる際の動作は第一の実施形態と同様である。ただし、別の指輪５の外半径がＤｍｉｎ以下であれば、ｄ以上であっても、傾斜リング２は別の指輪５にぶつからない。
【００４９】
第二の実施形態によれば、別の指輪５がリング本体１より大きくても、傾斜リング２は別の指輪５にぶつからない。
【図面の簡単な説明】
【図１】本発明の第一の実施形態にかかる指輪の斜視図である。
【図２】本発明の第一の実施形態にかかる指輪の平面図（図２（ａ））、正面図（図２（ｂ））である。
【図３】本発明の第一の実施形態にかかる指輪の正面図である。
【図４】第一の実施形態にかかる指輪をはめる際の動作を説明する図であり、指６に別の指輪５をはめたときの断面図（図４（ａ））、第一の実施形態にかかる指輪を指６にはめる途中の状態を示す断面図（図４（ｂ））、第一の実施形態にかかる指輪を指６にはめ終わった状態を示す断面図（図４（ｃ））である。
【図５】リング本体１の形状を変更した変形例を示す斜視図である。
【図６】傾斜リング２の形状を変更した変形例を示す斜視図であり、リング本体１の形状を楕円をねじったものとしたもの（図６（ａ））、傾斜リング２の厚みｈが変動しているもの（図６（ｂ））、傾斜リング２に切り目２１が設けられているもの（図６（ｃ））を示す。
【図７】アーム３および装飾部材４の取り付け位置を変更した変形例の斜視図である。
【図８】本発明の第二の実施形態にかかる指輪の斜視図である。
【図９】本発明の第二の実施形態にかかる指輪の平面図（図９（ａ））、側面図（図９（ｂ））である。
【符号の説明】
１　リング本体
１ａ　端面
１ｃ　外周
２　傾斜リング
２ｄ　内周
３　アーム
４　装飾部材
６　指
６ａ　左の付け根
６ｂ　右の付け根
７　スペーサ
１０　接合部分
１１　切り目
２１　切り目
【図１】
2004000449.tif 000003
【図２】
2004000449.tif 000004
【図３】
2004000449.tif 000005
【図４】
2004000449.tif 000006
【図５】
2004000449.tif 000007
【図６】
2004000449.tif 000008
【図７】
2004000449.tif 000009
【図８】
2004000449.tif 000010
【図９】
2004000449.tif 000011